(57)【要約】【課題】  陳列什器や間仕切パネル等の支柱にブラケットを連結するための連結装置において、簡単且つ確実に支柱にブラケットを連結でき、また連結状態で激しい振動が発生しても支柱からブラケットが外れることがなく、しかも分離、再連結も容易にできる支柱とブラケットの連結装置を提供する。【解決手段】  一側面９と一対の対向面１０，１０とを有する中空の支柱１には、側面に複数の係合孔１１を形成し、上側係合孔１１Ａの近傍で両対向面に形成した縦長孔１２に締結部材１３を上下移動可能且つ締結によって移動不能に貫設し、ブラケット２の端部１４には、下部に下側係合孔１１Ｂに嵌合係止する下向きフック１５を突設し、上部に上側係合孔に嵌入する係止片１６を突設し、支柱の側面にブラケットの端部を接合した状態で、係止片に締結部材を上方から係合する係合凹部１７を形成した。【選択図】        図２
2006239159.tif 000002
【特許請求の範囲】
【請求項１】
少なくとも一側面と該側面に連続する一対の対向面とを有する中空の支柱と、該支柱の側面に連結するブラケットとの連結装置であって、前記支柱には、前記側面の適所に上下方向に複数の係合孔を形成するとともに、上側係合孔の近傍で前記両対向面に形成した縦長孔に締結部材を上下移動可能且つ締結によって移動不能に貫設し、前記ブラケットの端部には、下部に前記下側係合孔に嵌合係止する下向きフックを突設するとともに、上部に前記上側係合孔に嵌入する係止片を突設し、更に前記支柱の側面にブラケットの端部を接合した状態で、前記係止片に前記締結部材を上方から係合する係合凹部を形成してなることを特徴とする支柱とブラケットの連結装置。
【請求項２】
前記下向きフックの基端部の上下寸法を、前記下側係合孔に密嵌するように設定してなる請求項１記載の支柱とブラケットの連結装置。
【請求項３】
前記締結部材は、一対の雌ネジ部材と雄ネジ部材とからなり、前記雌ネジ部材は前記縦長孔を通過不能な頭部と該縦長孔の下部に嵌合する筒状の雌ネジとを有し、前記雄ネジ部材は前記縦長孔を通過不能な頭部と前記雌ネジに螺合する雄ネジを有するものである請求項１又は２記載の支柱とブラケットの連結装置。
【請求項４】
前記縦長孔は、下部より上部が広い孔幅を有してなる請求項１〜３何れかに記載の支柱とブラケットの連結装置。
【請求項５】
前記支柱の側面であって下側係合孔と上側係合孔の間に中間係合孔を形成し、前記ブラケットの端部に前記中間係合孔に密嵌する突片を形成してなる請求項１〜４何れかに記載の支柱とブラケットの連結装置。
【発明の詳細な説明】
【技術分野】
【０００１】
本発明は、支柱とブラケットの連結装置に係わり、更に詳しくは陳列什器や間仕切パネル等の支柱にブラケットを連結するための連結装置に関するものである。
【背景技術】
【０００２】
従来から、陳列什器や間仕切パネル等の支柱の側面に、略直角にベース部材を連結して自立させたり、ブラッケトを取付けて棚板や天板を支持する構造は各種提供されている。それには、支柱の側面に上下方向に複数の係合孔を形成し、ブラケットの端部に設けたフックを前記係合孔に嵌合係止する構造が一般的である。通常は、ブラッケトに載置する棚板や天板等の自重によってフックが係合孔から外れないようになっているが、係合孔に設けたクリアランスのため強制的にブラケットを上動させたり、手前を持ち上げたりすると簡単に外れる。特に、陳列什器等のように支柱をベースとなるブラケットで立起状態に支持する構造のものは、支柱に対してブラケットを何れの方向に力が加わっても連結を維持する強度が要求される。
【０００３】
この改善策として、特許文献１には、基台側板の端部の下部に下鉤片と上部に上側に係合部を有する上鉤片を形成し、支柱の側面に上下方向に一定間隔毎に係合孔を形成するとともに、支柱の中空部に突設されたガイドピンをコ字状のロック部材に設けたガイド長孔に受け入れて該ロック部材を上下スライド自在に設け、ロック部材の下縁が前記上鉤片に係合するように構成した連結構造が開示されている。そして、基台側板を支柱に取付けるには、基台側板を傾斜させて下鉤片を支柱の係合孔に挿入し、次いで基台側板を水平状態にして上鉤片を係合孔に挿入すると、支柱の中空部内のロック部材が上鉤片の接触によって一担上方へ押し上げられ、該上鉤片が係合孔に完全に挿入されると同時にロック部材が押し上げから解放されて自重で下降し上鉤片に係合し、基台側板を脱去不能にロックするのである。尚、基台側板を支柱から取外す場合には、支柱の外方からロック部材の小孔に棒部材を差込んでロック部材を上方へスライドさせるのである。
【０００４】
しかし、特許文献１に記載の連結構造は、支柱の中空部内に上下スライド自在に設けたロック部材の自重によって、ロック部材の下縁を上鉤片に係合して、該上鉤片が係合孔から抜けることを防止しているだけであるから、地震等のように激しい縦揺れや横揺れを伴う振動が発生した際に、不意にロック部材が上動してロックが解除されて支柱から基台側板（ブラケット）が外れることも考えられる。
【特許文献１】特許第３１０２５５４号公報
【発明の開示】
【発明が解決しようとする課題】
【０００５】
そこで、本発明が前述の状況に鑑み、解決しようとするところは、陳列什器や間仕切パネル等の支柱にブラケットを連結するための連結装置において、簡単且つ確実に支柱にブラケットを連結することができ、また連結状態で激しい振動が発生しても支柱からブラケットが外れることがなく、しかも分離、再連結も容易にできる支柱とブラケットの連結装置を提供する点にある。
【課題を解決するための手段】
【０００６】
本発明は、前述の課題解決のために、少なくとも一側面と該側面に連続する一対の対向面とを有する中空の支柱と、該支柱の側面に連結するブラケットとの連結装置であって、前記支柱には、前記側面の適所に上下方向に複数の係合孔を形成するとともに、上側係合孔の近傍で前記両対向面に形成した縦長孔に締結部材を上下移動可能且つ締結によって移動不能に貫設し、前記ブラケットの端部には、下部に前記下側係合孔に嵌合係止する下向きフックを突設するとともに、上部に前記上側係合孔に嵌入する係止片を突設し、更に前記支柱の側面にブラケットの端部を接合した状態で、前記係止片に前記締結部材を上方から係合する係合凹部を形成してなる支柱とブラケットの連結装置を構成した（請求項１）。
【０００７】
ここで、前記下向きフックの基端部の上下寸法を、前記下側係合孔に密嵌するように設定してなることが好ましい（請求項２）。
【０００８】
そして、前記締結部材は、一対の雌ネジ部材と雄ネジ部材とからなり、前記雌ネジ部材は前記縦長孔を通過不能な頭部と該縦長孔の下部に嵌合する筒状の雌ネジとを有し、前記雄ネジ部材は前記縦長孔を通過不能な頭部と前記雌ネジに螺合する雄ネジを有するものである（請求項３）。
【０００９】
また、前記縦長孔は、下部より上部が広い孔幅を有してなることも好ましい（請求項４）。
【００１０】
更に、前記支柱の側面であって下側係合孔と上側係合孔の間に中間係合孔を形成し、前記ブラケットの端部に前記中間係合孔に密嵌する突片を形成してなることも好ましい（請求項５）。
【発明の効果】
【００１１】
以上にしてなる請求項１に係る発明の支柱とブラケットの連結装置は、ブラケットの手前側を下げた傾斜状態で、該ブラケットの端部下部の下向きフックを、支柱の側面の下側係合孔に嵌入した後、締結部材を緩めて縦長孔の上部に退避させながら、下側係合孔に係止したフックを支点としてブラケットを略水平に起すことによって、端部の上部に設けた係止片を上側係合孔に嵌入し、それから前記締結部材を下降させて前記縦長孔の下部に嵌合すると同時に前記係止片の係合凹部に係合させた状態で締結して上方移動不能とすることにより、支柱にブラケットを簡単且つ確実に連結することができ、しかも地震等による振動が発生しても締結部材が締結されて上方移動することがないので、支柱からブラケットが外れることがないのである。ここで、支柱にブラケットを連結した状態では、ブラケットの端部が支柱の側面に当接した状態で、下部の下向きフックが下側係合孔に嵌合係止し、上部の係止片が上側係合孔に嵌入するとともに、係合凹部が締結部材に係合しているので、支柱に対するブラケットの上下変化を確実に制限することができ、不意の力がブラケット等に加わっても支柱から外れることがないのである。また、支柱からブラケットを外す場合には、締結部材を緩めて縦長孔の上方へ移動させ、該締結部材を係止片の係合凹部から外し、ブラケットの手前を押し下げながら下向きフックを下側係合孔から外すだけで済むのである。
【００１２】
請求項２によれば、前記下向きフックの基端部の上下寸法を、前記下側係合孔に密嵌するように設定したので、該フックを下側係合孔に嵌合係止した状態では、支柱に対するブラケットの上下移動を確実に規制することができる。
【００１３】
請求項３によれば、支柱の対向面に形成した縦長孔のそれぞれに、外側方から雌ネジ部材の筒状の雌ネジと雄ネジ部材の雄ネジを挿入し、支柱の内部で雌ネジと雄ネジを互に螺合することにより、互いの頭部同士で支柱の対向面を挟み込んで締結し、縦長孔内で上下移動不能とすることができ、また緩めれば上下移動可能となるのである。また、締結部材の締結、弛緩、上下移動操作は、支柱の外部に露出している雌ネジ部材と雄ネジ部材の頭部で行うことができるので簡単である。そして、締結部材の筒状の雌ネジをブラケットの係止片の係合凹部に係合させるので、締結動作に支障がないのである。
【００１４】
請求項４によれば、前記縦長孔は下部より上部が広い孔幅を有してなるので、締結部材を縦長孔の下部に位置した際に、該締結部材のガタつきを防止でき、即ち係止片を係合孔に対して挿脱する方向における移動を規制することができ、また締結部材を上方移動させる際には縦長孔との間にクリアランスがあるので容易である。
【００１５】
請求項５によれば、支柱をブラケットに連結した際に、支柱の中間係合孔にブラケットの突片が密嵌するので、支柱に対するブラケットの上下移動を更に確実に規制し、強度の高い連結状態を実現できるのでる。
【発明を実施するための最良の形態】
【００１６】
次に、添付図面に示した実施形態に基づき、本発明を更に詳細に説明する。図１は本発明の支柱とブラケットの連結装置を適用した代表的実施形態を示す商品陳列棚を示し、図２〜図６は本発明の要部の詳細を示し、図中符号１は支柱、２はブラケット、３は下部連結杆、４は上部連結杆、５はパネル、６はベース前板、７は棚受ブラケット、８は棚板をそれぞれ示している。
【００１７】
本実施形態の商品陳列棚は、図１及び図２に示すように、間隔を隔てて立起状態に配した各支柱１，１の下端部の前側又は前後側に略直角にブラケット２を連結するとともに、両支柱１，１の下端部間に下部連結杆３を連結し、更に両支柱１，１の上端部間に上部連結杆４を連結して自立型のフレーム構造を構成し、更に両支柱１，１間及び下部連結杆３と上部連結杆４との間にパネル５を装着し、また前記ブラケット２，２の先端間にベース前板６を渡設し、そして支柱１，１の前側又は前後側に複数の棚受ブラケット７，…を上下に取付け、前記両ブラケット２，２及び下部連結杆３に棚板８を載置するとともに、左右の前記棚受ブラケット７，７に棚板８をそれぞれ載置したものである。
【００１８】
ここで、前記両ブラケット２，２、下部連結杆３、ベース前板６及びその上に載置した棚板８とで商品陳列棚のベース台を構成し、前記支柱１，１を立起状態に保持する役目をなしている。尚、前述の商品陳列棚は、前記棚受ブラケット７，…や上方の棚板８を無くし、前記パネル５をメッシュパネル等のハンギング機能を有するパネルとし、該パネル５に直接商品を吊下げて展示し、あるいは該パネル５に多数のハンギングバーを略直角に突出させて保持し、該ハンギングバーに商品を吊下げて展示することも可能である。
【００１９】
このように支柱１を立起状態に保持し、振動や横からの外力に対して安定であり、また支持強度の高いことが要求され、特に支柱１の下端部に略直角に連結する前記ブラケット２との連結部の構造は商品陳列棚に限らず重要である。本発明は、以下の説明及び図面に表されている内容から明らかなように、単に商品陳列棚に用いる支柱とブラケットとの連結部に適用するのみならず、間仕切パネルを自立を助ける安定部材と支柱又は縦枠との連結部、机天板を支持するブラケットと間仕切パネルの支柱又は縦枠との連結部等にも同様に適用できるのであり、更には一般的な二つの部材の連結部に適用できるのである。
【００２０】
本発明の支柱とブラケットの連結装置は、図２〜図６に示すように、少なくとも一側面９と該側面９に連続する一対の対向面１０，１０とを有する中空の支柱１と、該支柱１の側面９に連結するブラケット２とからなり、前記支柱１には、前記側面９の適所に上下方向に複数の係合孔１１，…を形成するとともに、上側係合孔１１Ａの近傍で前記両対向面１０，１０に形成した縦長孔１２，１２に締結部材１３を上下移動可能且つ締結によって移動不能に貫設し、前記ブラケット２の端部１４には、下部に前記下側係合孔１１Ｂに嵌合係止する下向きフック１５を突設するとともに、上部に前記上側係合孔１１Ａに嵌入する係止片１６を突設し、更に前記支柱１の側面９にブラケット２の端部１４を接合した状態で、前記係止片１６に前記締結部材１３を上方から係合する係合凹部１７を形成してなるものである。
【００２１】
更に詳しくは、前記支柱１は、スチール製の内部が中空の断面略長方形の長尺部材であり、断面において短辺側の面が前記側面９であり、長辺側の面が前記対向面１０，１０であり、該対向面１０の幅方向中央部に前記パネル５の側縁を嵌合する係合溝１８，１８を形成し、前記側面９の下端部に、上下に上側係合孔１１Ａ、中間係合孔１１Ｃ、下側係合孔１１Ｂを形成し、対向面１０の下端部には前記下部連結杆３を連結するための連結孔１９，…を形成し、更に側面９の上部には前記棚受ブラケット７，…を嵌合係止するための係止孔２０，…を上下方向に一定間隔毎に多数形成している。ここで、前記縦長孔１２は、対向面１０に形成した前記連結孔１９の上部で前記上側係合孔１１Ａの近傍に形成し、下部より上部が広い孔幅を有する長円形である。前記支柱１の前後両面側にブラケット２，２を連結する場合には、該支柱１は係合溝１８を中心に前後対称形となっている。尚、図示しないが、前記支柱１の対向面１０の上端部にも前記上部連結杆４を連結するために前記連結孔１９，…と同様な連結孔を形成し、あるいは単にネジ止めのための孔を形成している。また、本実施形態では、前記支柱１の上下端の開口部を閉塞板２１，２１で塞ぎ、特に下端の閉塞板２１にはキャスター２２を取付けている。
【００２２】
また、前記ブラケット２は、スチール製の内部が中空の断面略長方形の長尺部材であり、断面において長辺面を垂直に向け、本体部２３の端部１４から一部突出するように、前記下向きフック１５と係止片１６及びその中間に突片２４を形成した厚板からなる連結板２５を該本体部２３の内部に挿入状態で固着している。更に詳しくは、前記下向きフック１５は、先端から基端部にかけて厚さ方向と直交する幅寸法を漸増し、基端部の上下寸法を、前記下側係合孔１１Ｂに密嵌するように設定している。
【００２３】
ここで、前記下向きフック１５は、下側係合孔１１Ｂに嵌合係止するが、前記支柱１の下端に固定した前記閉塞板２１の立上片２１Ａの上縁を該係合孔１１Ｂの下部孔縁と一致させることで、前記下向きフック１５を閉塞板２１の立上片２１Ａの上縁に係止することができるので、更に支持強度が増大するのである。また、前記下向きフック１５の基端部下端からブラケット２の本体部２３の下面にかけて斜めの切欠部２６を形成し、ブラケット２の手前側を下げた傾斜状態で下向きフック１５を、支柱１の下側係合孔１１Ｂに嵌入する動作時の逃しとしている。また、前記係止片１６は、前記連結板２５の上端から若干上方に延び、前記本体部２３の上面に形成したスリット２７に嵌合した状態で溶接されている。また、前記突片２４は、前記下向きフック１５と前記係止片１６との間に形成し、前記支柱１の側面９であって下側係合孔１１Ｂと上側係合孔１１Ａの間に形成した中間係合孔１１Ｃに密嵌する側面視略半円状の形状をしたものである。
【００２４】
そして、前記締結部材１３は、図２〜図６に示すように、一対の雌ネジ部材２８と雄ネジ部材２９とからなり、前記雌ネジ部材２８は前記縦長孔１２を通過不能な頭部２８Ａと該縦長孔１２の下部に嵌合する筒状の雌ネジ２８Ｂとを有し、前記雄ネジ部材２９は前記縦長孔１２を通過不能な頭部２９Ａと前記雌ネジ２８Ｂに螺合する雄ネジ２９Ｂを有するものである。そして、前記支柱１の両対向面１０，１０の各縦長孔１２に、前記雌ネジ部材２８は雌ネジ２８Ｂを挿入し、前記雄ネジ部材２９は雄ネジ２９Ｂを挿入し、該支柱１の内部で互に螺合し、更に雌ネジ２８Ｂの先端と雄ネジ部材２９の頭部２９Ａとの間の雄ネジ２９Ｂに、外径が雌ネジ２８Ｂと略同径の筒状のスリーブ３０を挿通している。
【００２５】
このように構成した支柱１とブラケット２と締結部材１３を用いて、支柱１にブラケット２を連結するには、先ずブラケット２の手前側を下げた傾斜状態で、該ブラケット２の端部下部の下向きフック１５を、支柱１の側面９の下側係合孔１１Ｂに嵌入した後、締結部材１３を緩めて縦長孔１２の上部に退避させながら、下側係合孔１１Ｂに係止したフック１５を支点としてブラケット２を略水平に起すことによって、端部１４の上部に設けた係止片１６を上側係合孔１１Ａに嵌入し、また突片２４を中間係合孔１１Ｃに嵌入し、それから前記締結部材１３を下降させて前記縦長孔１２の下部に嵌合すると同時に前記係止片１６の係合凹部１７に係合させた状態で締結して上方移動不能とするのである。また、前記支柱１からブラケット２を分離するには、前記締結部材１３を緩めて上昇させて縦長孔１２の上部に退避させ、その状態で該ブラケット２の前部を押し下げながら係止片１６及び突片２４を上側係合孔１１Ａ、中間係合孔１１Ｃから抜き去り、最後に下向きフック１５を下側係合孔１１Ｂから抜き去ればよいのである。この際に、前記締結部材１３は、支柱１の縦長孔１２，１２に挿通したままにしておけば、その後にブラケット２を連結する作業が容易である。
【００２６】
また、前記ブラケット２，２の前端面は、図２に示すように、端面板３１が固定されており、該端面板３１に形成した止穴３２，３２に、前記ベース前板６の両端部背面に突設したフック３３，３３を嵌合係止し、両ブラケット２，２の前端間にベース前板６を装着している。
【００２７】
また、前記下部連結杆３は、図２、図４〜図６に示すように、端部に固定した連結部３４に前記支柱１の連結孔１９，…に嵌合係止する下向きフック３５，…を形成し、また上面には前記パネル５の下縁を嵌合する係合溝３６を幅方向中央部に形成するとともに、前後縁部に平行して前記棚板８の後縁を嵌合する支持溝３７，３７を形成したものである。尚、前記下部連結杆３の端部は、前記締結部材１３の頭部２８Ａ，２９Ａが対向面１０から突出していても下向きフック３５，…を連結孔１９，…に嵌合係止する作業に支障がないように後退させている。
【００２８】
更に、前記ブラケット２の先端部下面にはキャクター３８を設けている。その他の構造は従来公知の構造である。尚、前記支柱１とブラケット２の連結構造を上下反転させても同様に成立するが、前記締結部材１３が緩んだ際にも、前記係止片１６の係合凹部１７に締結部材１３が係合した状態を維持するには、本実施形態で示したように、締結部材１３を下降させて係合凹部１７に係合させる構造が好ましいのである。
【図面の簡単な説明】
【００２９】
【図１】本発明の支柱とブラケットの連結装置を適用した代表的実施形態を示す商品陳列棚の全体斜視図である。
【図２】本発明の要部の分解斜視図である。
【図３】支柱にブラケットを連結する手順を説明するための部分側面図である。
【図４】支柱とブラケットの連結状態を示す部分側面図である。
【図５】同じく部分縦断正面図である。
【図６】同じく部分横断平面図である。
【符号の説明】
【００３０】
１  支柱              ２  ブラケット
３  下部連結杆        ４  上部連結杆
５  パネル            ６  ベース前板
７  棚受ブラケット    ８  棚板
９  側面              １０  対向面
１１Ａ  上側係合孔    １１Ｂ  下側係合孔
１１Ｃ  中間係合孔    １２  縦長孔
１３  締結部材        １４  端部
１５  フック          １６  係止片
１７  係合凹部        １８  係合溝
１９  連結孔          ２０  係止孔
２１  閉塞板          ２１Ａ  立上片
２２  キャスター      ２３  本体部
２４  突片            ２５  連結板
２６  切欠部          ２７  スリット
２８  雌ネジ部材      ２８Ａ  頭部
２８Ｂ  雌ネジ        ２９  雄ネジ部材
２９Ａ  頭部          ２９Ｂ  雄ネジ
３０  スリーブ        ３１  端面板
３２  止穴            ３３  フック
３４  連結部          ３５  下向きフック
３６  係合溝          ３７  支持溝
３８  キャクター
【図１】
2006239159.tif 000003
【図２】
2006239159.tif 000004
【図３】
2006239159.tif 000005
【図４】
2006239159.tif 000006
【図５】
2006239159.tif 000007
【図６】
2006239159.tif 000008